(57)【要約】【課題】消費電力を減少させ、かつ画質低下を防止できる有機発光ディスプレイ装置を提供する。【解決手段】有機発光ディスプレイ装置は、ディスプレイパネル、駆動回路、及びパワーサプライを含む。前記ディスプレイパネルは、複数のピクセル行を備える。前記駆動回路はモード信号に応答して、ノーマルモードでは前記複数のピクセル行に第１ディスプレイデータを提供し、ディーミングモードでは前記複数のピクセル行にブラックデータが含まれた第２ディスプレイデータを提供し、前記ディスプレイパネルの輝度を前記ノーマルモードでの輝度より減少させる。前記パワーサプライは、前記ディスプレイパネルに高電源電圧及び低電源電圧を提供し、前記モード信号を提供する。【選択図】図１
2016151765.tif 000002
【特許請求の範囲】
【請求項１】
複数のピクセル行を備えるディスプレイパネルと、
モード信号に応答して、ノーマルモードでは前記複数のピクセル行に第１ディスプレイデータを提供し、ディーミングモードでは前記複数のピクセル行にブラックデータが含まれた第２ディスプレイデータを提供し、前記ディスプレイパネルの輝度を前記ノーマルモードでの輝度より減少させる駆動回路と、
前記ディスプレイパネルに高電源電圧及び低電源電圧を提供し、前記モード信号を提供するパワーサプライと、
を含むことを特徴とする、有機発光ディスプレイ装置。
【請求項２】
前記複数のピクセル行は、
互いに交互に配置される複数の奇数番目ピクセル行と複数の偶数番目ピクセル行を含み、前記複数の奇数番目ピクセル行の各々は交互に配置される第１ピクセルと第２ピクセルを含み、前記複数の偶数番目ピクセル行は交互に配置される第３ピクセルと第４ピクセルを含み、
前記第１ピクセルは、第１色光を表示する第１サブピクセル及び第２色光を表示する第２サブピクセルを含み、
前記第２ピクセルは、第３色光を表示する第３サブピクセル及び前記第２色光を表示する前記第２サブピクセルを含み、
前記第３ピクセルは、前記第３サブピクセル及び前記第２サブピクセルを含み、
前記第４ピクセルは、前記第１サブピクセル及び前記第２サブピクセルを含むことを特徴とする、請求項１に記載の有機発光ディスプレイ装置。
【請求項３】
前記駆動回路は、前記ディーミングモードで前記第２ピクセルと前記第４ピクセルの前記第２サブピクセルにブラックデータを提供することを特徴とする、請求項２に記載の有機発光ディスプレイ装置。
【請求項４】
前記駆動回路は、前記ディーミングモードで、第ｋ（ｋは、自然数）フレーム区間の間に前記第２ピクセルと前記第４ピクセルの前記第２サブピクセルにブラックデータを提供し、第ｋ＋１フレーム区間の間に前記第１ピクセルと前記第３ピクセルの前記第２サブピクセルに前記ブラックデータを提供することを特徴とする、請求項２に記載の有機発光ディスプレイ装置。
【請求項５】
前記駆動回路は、前記ディーミングモードで、第ｋ（ｋは、自然数）フレーム区間の間に前記第２ピクセルと前記第３ピクセルの前記第２サブピクセルにブラックデータを提供し、第ｋ＋１フレーム区間の間に前記第１ピクセルと前記第４ピクセルの前記第２サブピクセルに前記ブラックデータを提供することを特徴とする、請求項２に記載の有機発光ディスプレイ装置。
【請求項６】
前記駆動回路は、前記ディーミングモードで、第ｋ（ｋは、自然数）フレーム区間の間に前記偶数番目ピクセル行のピクセルにブラックデータを提供し、第ｋ＋１フレーム区間の間に前記奇数番目ピクセル行のピクセルにブラックデータを提供することを特徴とする、請求項２に記載の有機発光ディスプレイ装置。
【請求項７】
前記駆動回路は、前記ディーミングモードで、第ｋ（ｋは、自然数）フレーム区間の間に前記第２ピクセルと前記第４ピクセルにブラックデータを提供し、第ｋ＋１フレーム区間の間に前記第１ピクセルと前記第３ピクセルにブラックデータを提供することを特徴とする、請求項２に記載の有機発光ディスプレイ装置。
【請求項８】
前記第１色光は赤色光で、前記第２色光は緑色光で、前記第３色光は青色光であることを特徴とする、請求項２に記載の有機発光ディスプレイ装置。
【請求項９】
前記複数のピクセル行は、
互いに交互に配置される複数の奇数番目ピクセル行と複数の偶数番目ピクセル行を含み、前記複数の奇数番目ピクセル行の各々は交互に配置される第１ピクセルと第２ピクセルを含み、前記複数の偶数番目ピクセル行は交互に配置される第３ピクセルと第４ピクセルを含み、
前記第１から第４ピクセルの各々は、第１色光を表示する第１サブピクセル、第２色光を表示する第２サブピクセル、及び第３色光を表示する第３サブピクセルを含むことを特徴とする、請求項１に記載の有機発光ディスプレイ装置。
【請求項１０】
前記駆動回路は、前記ディーミングモードで、第ｋ（ｋは、自然数）フレーム区間の間に前記第１ピクセルと前記第３ピクセルの同一なサブピクセルに前記ブラックデータを提供し、第ｋ＋１フレーム区間の間に前記第２ピクセルと前記第４ピクセルの同一なサブピクセルに前記ブラックデータを提供することを特徴とする、請求項９に記載の有機発光ディスプレイ装置。
【発明の詳細な説明】
【技術分野】
【０００１】
本発明は表示装置に関し、より詳しくは、有機発光ディスプレイ装置及びこれを含むディスプレイシステムに関する。
【背景技術】
【０００２】
最近、陰極線管（Cathode Ray Tube）の短所である重さと体積を縮めることができる各種の平板表示装置が開発されている。平板表示装置には、液晶表示装置（Liquid Crystal Display；ＬＣＤ）、電界放出表示装置（Field Emission Display；ＦＥＤ）、プラズマ表示パネル（Plasma Display Panel；ＰＤＰ）、及び有機発光ディスプレイ装置（Organic Light Emitting Display；ＯＬＥＤ）などがある。平板表示装置のうち、ＯＬＥＤは電子と正孔との再結合により光を発生する有機発光ダイオードを用いて映像を表示するものであって、これは早い応答速度を有すると共に、低い消費電力で駆動される長所がある。
【発明の概要】
【発明が解決しようとする課題】
【０００３】
本発明の目的は、消費電力を減少させ、かつ画質低下を防止できる有機発光ディスプレイ装置を提供することにある。
【０００４】
本発明の他の目的は、消費電力を減少させ、かつ画質低下を防止できる有機発光ディスプレイ装置を備えるディスプレイシステムを提供することにある。
【０００５】
但し、本発明の解決しようとする課題は、前記言及された課題に限定されるものでなく、本発明の思想及び領域から逸脱しない範囲で多様に拡張できる。
【課題を解決するための手段】
【０００６】
本発明の一目的を達成するために、本発明の実施形態に係る有機発光ディスプレイ装置は、ディスプレイパネル、駆動回路、及びパワーサプライを含む。前記ディスプレイパネルは、複数のピクセル行を備える。前記駆動回路は、モード信号に応答して、ノーマルモードでは前記複数のピクセル行に第１ディスプレイデータを提供し、ディーミングモードでは前記複数のピクセル行にブラックデータが含まれた第２ディスプレイデータを提供し、前記ディスプレイパネルの輝度を前記ノーマルモードでの輝度より減少させる。前記パワーサプライは前記ディスプレイパネルに高電源電圧及び低電源電圧を提供し、前記モード信号を提供する。
【０００７】
例示的な実施形態において、前記複数のピクセル行は、互いに交互に配置される複数の奇数番目ピクセル行及び複数の偶数番目ピクセル行を含み、前記複数の奇数番目ピクセル行の各々は交互に配置される第１ピクセル及び第２ピクセルを含み、前記複数の偶数番目ピクセル行は交互に配置される第３ピクセル及び第４ピクセルを含むことができる。前記第１ピクセルは第１色光を表示する第１サブピクセル及び第２色光を表示する第２サブピクセルを含み、前記第２ピクセルは第３色光を表示する第３サブピクセル及び前記第２色光を表示する前記第２サブピクセルを含み、前記第３ピクセルは前記第３サブピクセル及び前記第２サブピクセルを含み、前記第４ピクセルは前記第１サブピクセル及び前記第２サブピクセルを含むことができる。
【０００８】
前記駆動回路は、前記ディーミングモードで前記第２ピクセルと前記第４ピクセルの前記第２サブピクセルにブラックデータを提供することができる。
【０００９】
前記駆動回路は、前記ディーミングモードで、第ｋ（ｋは、自然数）フレーム区間の間に前記第２ピクセルと前記第４ピクセルの前記第２サブピクセルにブラックデータを提供し、第ｋ＋１フレーム区間の間に前記第１ピクセルと前記第３ピクセルの前記第２サブピクセルに前記ブラックデータを提供することができる。
【００１０】
前記駆動回路は、前記ディーミングモードで、第ｋ（ｋは、自然数）フレーム区間の間に前記第２ピクセルと前記第３ピクセルの前記第２サブピクセルにブラックデータを提供し、第ｋ＋１フレーム区間の間に前記第１ピクセルと前記第４ピクセルの前記第２サブピクセルに前記ブラックデータを提供することができる。
【００１１】
前記駆動回路は、前記ディーミングモードで、第ｋ（ｋは、自然数）フレーム区間の間に前記偶数番目ピクセル行のピクセルにブラックデータを提供し、第ｋ＋１フレーム区間の間に前記奇数番目ピクセル行のピクセルにブラックデータを提供することができる。
【００１２】
前記駆動回路は、前記ディーミングモードで、第ｋ（ｋは、自然数）フレーム区間の間に前記第２ピクセルと前記第４ピクセルにブラックデータを提供し、第ｋ＋１フレーム区間の間に前記第１ピクセルと前記第３ピクセルにブラックデータを提供することができる。
【００１３】
前記駆動回路は、前記ディーミングモードで、第ｋ（ｋは、自然数）フレーム区間の間に前記第２ピクセルと前記第４ピクセルにブラックデータを提供し、第ｋ＋１フレーム区間の間に前記第１ピクセルと前記第３ピクセルにブラックデータを提供することができる。
【００１４】
前記第１色光は赤色光で、前記第２色光は緑色光で、前記第３色光は青色光でありうる。
【００１５】
例示的な実施形態において、前記複数のピクセル行は互いに交互に配置される複数の奇数番目ピクセル行と複数の偶数番目ピクセル行を含み、前記複数の奇数番目ピクセル行の各々は交互に配置される第１ピクセルと第２ピクセルを含み、前記複数の偶数番目ピクセル行は交互に配置される第３ピクセルと第４ピクセルを含み、前記第１から第４ピクセルの各々は、第１色光を表示する第１サブピクセル、第２色光を表示する第２サブピクセル、及び第３色光を表示する第３サブピクセルを含むことができる。
【００１６】
前記駆動回路は、前記ディーミングモードで、第ｋ（ｋは、自然数）フレーム区間の間に前記第１ピクセルと前記第３ピクセルの同一なサブピクセルに前記ブラックデータを提供し、第ｋ＋１フレーム区間の間に前記第２ピクセルと前記第４ピクセルの同一なサブピクセルに前記ブラックデータを提供することができる。
【００１７】
前記同一なサブピクセルは、前記第１から第３サブピクセルのうちの１つでありうる。
【００１８】
前記駆動回路は、前記ディーミングモードで、第ｋ（ｋは、自然数）フレーム区間の間に前記第１ピクセルと前記第４ピクセルの同一なサブピクセルに前記ブラックデータを提供し、第ｋ＋１フレーム区間の間に前記第２ピクセルと前記第３ピクセルの同一なサブピクセルに前記ブラックデータを提供することができる。
【００１９】
前記同一なサブピクセルは、前記第１から第３サブピクセルのうちの１つでありうる。
【００２０】
前記駆動回路は、前記ディーミングモードで、第ｋ（ｋは、自然数）フレーム区間の間に前記第１ピクセルと前記第４ピクセルに前記ブラックデータを提供し、第ｋ＋１フレーム区間の間に前記第２ピクセルと前記第３ピクセルに前記ブラックデータを提供することができる。
【００２１】
前記第１色光は赤色光で、前記第２色光は緑色光で、前記第３色光は青色光でありうる。
【００２２】
前記駆動回路は、前記サブピクセルの各々に連結される複数のスキャンラインに順次にスキャン信号を提供するスキャンドライバー、前記第１ディスプレイデータまたは前記第２ディスプレイデータに相応するデータ電圧を前記サブピクセルの各々に連結される複数のデータラインに出力するデータドライバー、前記サブピクセルの各々に連結される複数の発光制御ラインに発光制御信号を提供して前記ディーミングモードでサブピクセルの非発光時間を調節する発光ドライバー、前記スキャンドライバー、前記データドライバー、前記発光ドライバー、及び前記パワーサプライを制御し、モード信号に基づいて入力イメージデータを処理して前記第１ディスプレイデータまたは前記第２ディスプレイデータを生成するタイミングコントローラを含むことができる。
【００２３】
前記サブピクセルの各々は、前記第１グループのデータラインの各々に連結される第１電極、前記第１グループのスキャンラインの各々に連結されるゲート電極、及び第１ノードに連結される第２電極を有するスイチントランジスタ、高電源電圧と前記第１ノードとの間に連結されるストレージキャパシタ、前記高電源電圧に連結される第１電極、前記第１ノードに連結されるゲート電極、及び第２電極を備える駆動トランジスタ、前記駆動トランジスタの第２電極に連結される第１電極、前記発光制御信号が印加されるゲート及び第２電極を備える発光トランジスタ、及び前記発光トランジスタの前記第２電極と低電源電圧との間に連結される有機発光ダイオードを含むことができる。
【００２４】
前記タイミングコントローラは、制御信号と前記モード信号に基づいて前記データドライバーを制御する第１駆動制御信号、前記スキャンドライバーを制御する第２駆動制御信号、前記発光ドライバーを制御する第３駆動制御信号、及び前記電源供給器を制御する電源制御信号を生成する信号生成器、及び前記モード信号に基づいて前記入力イメージデータを前記第１ディスプレイデータまたは前記第２ディスプレイデータに変換するデータコンバータを含むことができる。
【００２５】
前記データコンバータは、前記モード信号に応答して前記入力イメージデータの経路を決定するスイッチング回路、前記ノーマルモードで前記入力イメージデータを処理して前記第１ディスプレイデータを前記データドライバーに提供する第１プロセシングロジック、及び前記ディーミングモードで前記入力イメージデータを処理して前記第２ディスプレイデータを前記データドライバーに提供する第２プロセシングロジックを含むことができる。
【００２６】
本発明の一目的を達成するために、本発明の実施形態に係るディスプレイシステムは、アプリケーションプロセッサ、有機発光ディスプレイ装置、及びパワーサプライを含む。前記アプリケーションプロセッサは、イメージデータと制御信号を生成する。前記有機発光ディスプレイ装置は、前記制御信号に基づいて前記イメージデータを表示する。前記パワーサプライは、前記有機発光ディスプレイ装置に電源を供給するバッテリー、及び前記バッテリーの電力を感知するバッテリー感知モジュールを備える。前記有機発光ディスプレイ装置は、複数のピクセル行を備えるディスプレイパネル；及び前記バッテリーの電力に基づいて前記バッテリー感知モジュールが提供するバッテリー感知信号に基づいたモード信号に応答して、ノーマルモードでは前記複数のピクセル行に第１ディスプレイデータを提供し、ディーミングモードでは前記複数のピクセル行にブラックデータが含まれた第２ディスプレイデータを提供し、前記ディスプレイパネルの輝度を前記ノーマルモードでの輝度より減少させる駆動回路を含む。
【発明の効果】
【００２７】
本発明の実施形態に係る有機発光ディスプレイ装置及びディスプレイシステムは、バッテリー感知信号（ＢＳ）に基づいてノーマルモードまたはディスプレイパネルの輝度を減少させるディーミングモードで動作し、ノーマルモードでは、イメージ信号をブラックデータを含まない第１ディスプレイデータに変換してディスプレイパネルに表示し、ディーミングモードでは、イメージ信号をブラックデータを含む第２ディスプレイデータに変換してディスプレイパネルに表示すると共に、非発光区間を減少させることによって、ディーミングモードで横縞が発生することを防止することができる。
【００２８】
但し、本発明の効果は前記言及した効果に限定されるものでなく、本発明の思想及び領域から逸脱しない範囲で多様に拡張できる。
【図面の簡単な説明】
【００２９】
【図１】本発明の実施形態に係る有機発光ディスプレイ装置を示すブロック図である。
【図２】本発明の実施形態に係る図１の有機発光ディスプレイ装置におけるサブピクセルを示す回路図である。
【図３】本発明の実施形態に係る図１の有機発光ディスプレイ装置におけるディスプレイパネルの一例を示す図である。
【図４】本発明の実施形態に係る図１の有機発光ディスプレイ装置におけるタイミングコントローラの構成を示すブロック図である。
【図５】本発明の実施形態に係る図４のタイミングコントローラにおけるデータコンバータの一例を示すブロック図である。
【図６】本発明の実施形態に係る図５のデータコンバータが、ノーマルモードでデータドライバーに提供する第１ディスプレイデータを示す図である。
【図７】本発明の実施形態に係る図５のデータコンバータが、ディーミングモードでデータドライバーに提供する第２ディスプレイデータを示す図である。
【図８】本発明の実施形態に係る図５のデータコンバータが、ディーミングモードで連続する２つのフレームの間にデータドライバーに提供する第２ディスプレイデータを示す図である。
【図９】本発明の実施形態に係る図５のデータコンバータが、ディーミングモードで連続する２つのフレームの間にデータドライバーに提供する第２ディスプレイデータを示す図である。
【図１０】本発明の実施形態に係る図５のデータコンバータが、ディーミングモードで連続する２つのフレームの間にデータドライバーに提供する第２ディスプレイデータを示す図である。
【図１１】本発明の実施形態に係る図５のデータコンバータが、ディーミングモードで連続する２つのフレームの間にデータドライバーに提供する第２ディスプレイデータを示す図である。
【図１２】本発明の実施形態に係る図５のデータコンバータが、ディーミングモードで連続する２つのフレームの間にデータドライバーに提供する第２ディスプレイデータを示す。
【図１３】本発明の実施形態に係る図５のデータコンバータが、ディーミングモードで連続する２つのフレームの間にデータドライバーに提供する第２ディスプレイデータを示す図である。
【図１４】本発明の実施形態に係る図５のデータコンバータが、ディーミングモードで連続する２つのフレームの間にデータドライバーに提供する第２ディスプレイデータを示す図である。
【図１５】本発明の実施形態に係る図５のデータコンバータが、ディーミングモードで連続する２つのフレームの間にデータドライバーに提供する第２ディスプレイデータを示す。
【図１６】本発明の実施形態に係る図１の有機発光ディスプレイ装置におけるディスプレイパネルの他の例を示す図である。
【図１７】本発明の実施形態に係る図４のタイミングコントローラにおけるデータコンバータの他の例を示すブロック図である。
【図１８】本発明の実施形態に係る図１７のデータコンバータがノーマルモードでデータドライバーに提供する第１ディスプレイデータを示す図である。
【図１９】本発明の実施形態に係る図１７のデータコンバータがディーミングモードで連続する２つのフレームの間にデータドライバーに提供する第２ディスプレイデータを示す図である。
【図２０】本発明の実施形態に係る図１７のデータコンバータがディーミングモードで連続する２つのフレームの間にデータドライバーに提供する第２ディスプレイデータを示す図である。
【図２１】本発明の実施形態に係る図１７のデータコンバータがディーミングモードで連続する２つのフレームの間にデータドライバーに提供する第２ディスプレイデータを示す図である。
【図２２】本発明の実施形態に係る図１７のデータコンバータがディーミングモードで連続する２つのフレームの間にデータドライバーに提供する第２ディスプレイデータを示す図である。
【図２３】本発明の実施形態に係る図１７のデータコンバータがディーミングモードで連続する２つのフレームの間にデータドライバーに提供する第２ディスプレイデータを示す図である。
【図２４】本発明の実施形態に係る図１７のデータコンバータがディーミングモードで連続する２つのフレームの間にデータドライバーに提供する第２ディスプレイデータを示す図である。
【図２５】本発明の実施形態に係る図１７のデータコンバータがディーミングモードで連続する２つのフレームの間にデータドライバーに提供する第２ディスプレイデータを示す図である。
【図２６】本発明の実施形態に係る図１７のデータコンバータがディーミングモードで連続する２つのフレームの間にデータドライバーに提供する第２ディスプレイデータを示す図である。
【図２７】本発明の実施形態に係る図１７のデータコンバータがディーミングモードで連続する２つのフレームの間にデータドライバーに提供する第２ディスプレイデータを示す図である。
【図２８】本発明の実施形態に係る図１７のデータコンバータがディーミングモードで連続する２つのフレームの間にデータドライバーに提供する第２ディスプレイデータを示す図である。
【図２９】本発明の実施形態に係る図１７のデータコンバータがディーミングモードで連続する２つのフレームの間にデータドライバーに提供する第２ディスプレイデータを示す図である。
【図３０】本発明の実施形態に係る図１７のデータコンバータがディーミングモードで連続する２つのフレームの間にデータドライバーに提供する第２ディスプレイデータを示す図である。
【図３１】本発明の実施形態に係る図１７のデータコンバータがディーミングモードで連続する２つのフレームの間にデータドライバーに提供する第２ディスプレイデータを示す図である。
【図３２】本発明の実施形態に係る図１７のデータコンバータがディーミングモードで連続する２つのフレームの間にデータドライバーに提供する第２ディスプレイデータを示す図である。
【図３３】本発明の実施形態に係る図１の有機発光ディスプレイ装置における発光ドライバーの構成を示すブロック図である。
【図３４】図３３に図示されたステージの構成を詳細に示す回路図である。
【図３５】ブラックデータを使用しない従来のディーミングモードで図３４に図示された第１ステージの動作を説明するタイミング図である。
【図３６】本発明の実施形態によってブラックデータを使用するディーミングモードで図３４に図示された第１ステージの動作を説明するタイミング図である。
【図３７】本発明の実施形態に係る有機発光ディスプレイ装置の動作方法を示すフローチャートである。
【図３８】図３７の有機発光ディスプレイ装置の動作方法で第１モードの動作を示すフローチャートである。
【図３９】図３７の有機発光ディスプレイ装置の動作方法で第２モードの動作を示すフローチャートである。
【図４０】本発明の実施形態に係るディスプレイシステムを示すブロック図である。
【図４１】本発明の実施形態に係る有機発光表示装置を含む電子機器を示すブロック図である。
【発明を実施するための形態】
【００３０】
以下、添付した図面を参照して本発明の好ましい実施形態をより詳細に説明する。図面上の同一な構成要素に対しては同一な参照符号を使用し、同一な構成要素に対して重複説明は省略する。
【００３１】
図１は、本発明の実施形態に係る有機発光ディスプレイ装置を示すブロック図である。
【００３２】
図１を参照すると、有機発光ディスプレイ装置１００は、駆動回路１０５、ディスプレイパネル１１０、及びパワーサプライ１８０を含むことができる。
【００３３】
駆動回路１０５は、タイミングコントローラ１３０、データドライバー１５０、スキャンドライバー１６０、及び発光ドライバー１７０を含むことができる。実施形態において、有機発光ディスプレイ装置１００は、モード信号生成器１９０をさらに含むことができる。タイミングコントローラ１３０、データドライバー１５０、スキャンドライバー１６０、及び発光ドライバー１７０は、チップオンフレキシブル印刷回路（chip on flexible printed circuit；ＣＯＦ）、チップオンガラス（chip on glass；ＣＯＧ）、フレキシブル印刷回路（flexible printed circuit；ＦＰＣ）形態にディスプレイパネル１１０に連結できる。
【００３４】
ディスプレイパネル１１０は、複数のスキャンライン（ＳＬ１〜ＳＬｎ、ｎは２以上の自然数）を通じてスキャンドライバー１６０と連結され、複数のデータライン（ＤＬ１〜ＤＬｍ、ｍは２以上の自然数）を通じてデータドライバー１５０と連結され、複数の発光制御ライン（ＥＬ１~ＥＬｎ）を通じて発光ドライバー１７０と連結できる。ディスプレイパネル１１０は、複数のスキャンライン（ＳＬ１〜ＳＬｎ）、複数のデータライン（ＤＬ１〜ＤＬｍ）、及び複数の発光制御ライン（ＥＬ１〜ＥＬｎ）の交差部毎に位置する複数のサブピクセル１１１を含むことができる。
【００３５】
また、ディスプレイパネル１１０は、パワーサプライ１８０から高電源電圧（ＥＬＶＤＤ）及び低電源電圧（ＥＬＶＳＳ）の供給を受ける。また、発光ドライバー１７０は、パワーサプライ１８０から第１電圧（ＶＧＨ）及び第２電圧（ＶＧＬ）の供給を受けることができる。
【００３６】
スキャンドライバー１６０は、第２駆動制御信号（ＯＣＴＬ２）に基づいて複数のスキャンライン（ＳＬ１~ＳＬｎ）を通じて複数のサブピクセル１１１の各々にスキャン信号を提供することができる。
【００３７】
データドライバー１５０は、第１駆動制御信号（ＯＣＴＬ１）に基づいて複数のデータライン（ＤＬ１〜ＤＬｍ）を通じて複数のサブピクセル１１１の各々にデータ電圧を提供することができる。データドライバー１５０は、ノーマルモードではブラックデータを含まない第１ディスプレイデータ（ＤＴＡ１）に基づいて複数のサブピクセル１１１の各々にデータ電圧を提供し、ディーミングモードではブラックデータを含む第２ディスプレイデータ（ＤＴＡ２）に基づいて複数のサブピクセル１１１の各々にデータ電圧を提供することができる。
【００３８】
発光ドライバー１７０は、第３駆動制御信号（ＯＣＴＬ３）に基づいて複数の発光制御ライン（ＥＬ１〜ＥＬｎ）を通じて複数のサブピクセル１１１の各々に発光制御信号を提供することができる。この発光制御信号に基づいてディスプレイパネル１００の輝度が調節できる。
【００３９】
パワーサプライ１８０は電源制御信号（ＰＣＴＬ）に基づいて高電源電圧（ＥＬＶＤＤ）と低電源電圧（ＥＬＶＳＳ）をディスプレイパネル１１０に提供し、第１電圧（ＶＧＨ）及び第２電圧（ＶＧＬ）を発光ドライバー１７０に提供することができる。実施形態において、パワーサプライ１８０は再充電可能なバッテリー１８１及びバッテリー感知モジュール１８３を含むことができる。バッテリー感知モジュール１８３は、再充電可能なバッテリー１８１の残量を感知してバッテリー感知信号（ＢＳ）を提供することができる。
【００４０】
タイミングコントローラ１３０は、入力イメージデータ（ＲＧＢ）、制御信号（ＣＴＬ）、及びモード信号（ＭＳ）を受信し、制御信号（ＣＴＬ）及びモード信号（ＭＳ）に基づいて第１から第３駆動制御信号（ＯＣＴＬ１〜ＯＣＴＬ３）及び電源制御信号（ＰＣＴＬ）を生成し、第１駆動制御信号（ＯＣＴＬ１）はデータドライバー１５０に提供し、第２駆動制御信号（ＯＣＴＬ２）はスキャンドライバー１６０に提供し、第３制御信号（ＯＣＴＬ３）は発光ドライバー１７０に提供することができる。第３制御信号（ＯＣＴＬ３）は、開始信号（frame line mark：ＦＬＭ）、第１クロック信号（ＣＬＫ１）、及び第２クロック信号（ＣＬＫ２）を含むことができる。
【００４１】
また、タイミングコントローラ１３０はモード信号（ＭＳ）に基づいて入力イメージデータ（ＲＧＢ）を第１ディスプレイデータ（ＤＴＡ１）または第２ディスプレイデータ（ＤＴＡ２）に変換することができる。タイミングコントローラ１３０は、モード信号（ＭＳ）がノーマルモードを示す場合には入力イメージデータ（ＲＧＢ）を第１ディスプレイデータ（ＤＴＡ１）に変換し、モード信号（ＭＳ）がディーミングモードを示す場合には入力イメージデータ（ＲＧＢ）を第２ディスプレイデータ（ＤＴＡ２）に変換してデータドライバー１５０に提供することができる。
【００４２】
モード信号生成器１９０は、有機発光ディスプレイ装置１００に連結されるバッテリーの電力状態を示すバッテリー感知信号（ＢＳ）に応答してディスプレイパネル１００のモードを決定するモード信号（ＭＳ）を生成することができる。モード信号生成器１９０は、パワーサプライ１８０に含まれることができる。
【００４３】
図２は、本発明の実施形態に係る図１の有機発光ディスプレイ装置におけるサブピクセルを示す回路図である。
【００４４】
図２を参照すると、サブピクセル１１１は、スイッチングトランジスタＴ１、駆動トランジスタＴ２、発光トランジスタＴ３、ストレージキャパシタＣｓｔ、及び有機発光ダイオードＯＬＥＤを含むことができる。
【００４５】
スイッチングトランジスタＴ１は、データライン（ＤＬ１１）に連結されてデータ電圧（ＳＤＴ）が印加される第１電極、スキャンライン（ＳＬ１１）に連結されてスキャン信号（ＳＣＮ）の印加を受けるゲート電極、及び第１ノードＮ１１に連結される第２電極を有するＰＭＯＳトランジスタで具現できる。駆動トランジスタＴ２は、高電源電圧（ＥＬＶＤＤ）が印加される第１電極、前記第１ノードＮ１１に連結されるゲート電極、及び発光トランジスタＴ３に連結される第２電極を備えるＰＭＯＳトランジスタでありうる。発光トランジスタＴ３は、駆動トランジスタＴ２に連結される第１電極、有機発光ダイオードＯＬＥＤに連結される第２電極、及び発光制御ライン（ＥＬ１）に連結されて発光制御信号（ＥＣ１）の印加を受けるゲートを備えるＰＭＯＳトランジスタでありうる。格納キャパシタＣｓｔは、高電源電圧（ＥＬＶＤＤ）に連結される第１端子及び前記第１ノードＮ１１に連結される第２端子を備えることができる。有機発光ダイオードＯＬＥＤは、発光トランジスタＴ３の第２電極に連結されるアノード電極、及び前記低電源電圧（ＥＬＶＳＳ）に連結されるカソード電極を備えることができる。
【００４６】
スイッチングトランジスタＴ１はスキャン信号（ＳＣＮ）に応答してデータ電圧（ＳＤＴ）をストレージキャパシタＣｓｔに転送し、ストレージキャパシタＣｓｔに格納されたデータ電圧（ＳＤＴ）は相応する輝度で有機発光ダイオードＯＬＥＤを発光させて映像を表示することができる。
【００４７】
実施形態において、ディスプレイパネル１１０のサブピクセル１１１はディジタル方式により駆動できる。前記サブピクセル１１１のディジタル駆動方式において、駆動トランジスタＴ２は線形領域で動作するスイッチに使われる。したがって、前記駆動トランジスタＴ２はオンレベル及びオフレベルのみを表現する。
【００４８】
前記駆動トランジスタＴ２をターンオンまたはターンオフするために、ターンオンレベル及びターンオフレベルの２つレベルのみを有するデータ電圧（ＳＤＴ）が使われる。ディジタル駆動方式において、前記ピクセル（Ｐ）は、ただオンレベル及びオフレベルのみを表現するので、階調を表現するためには１つのフレームを複数のサブフィールドに分ける必要がある。前記サブフィールドの発光のオン及びオフの組合を用いて階調を表現することができる。
【００４９】
発光トランジスタＴ３は、発光制御信号（ＥＣ１）に応答してターンオンまたはターンオフされて有機発光ダイオードＯＬＥＤに電流を流すか、または遮断することができる。有機発光ダイオードＯＬＥＤに電流が流れれば、有機発光ダイオードＯＬＥＤが発光し、有機発光ダイオードＯＬＥＤに電流が遮断されれば、有機発光ダイオードＯＬＥＤが非発光することができる。したがって、発光トランジスタＴ３は発光制御信号（ＥＣ１）に応答してターンオンまたはターンオフされてディスプレイパネル１１０の輝度を調節することができる。モード信号（ＭＳ）に応答してディスプレイパネル１１０がディーミングモードで動作する時、発光制御信号（ＥＣ１）の活性化区間を調節してディスプレイパネル１１０の輝度を減少させて消費電力を減少させることができる。
【００５０】
図３は、本発明の実施形態に係る図１の有機発光ディスプレイ装置におけるディスプレイパネルの一例を示す。
【００５１】
図３を参照すると、ディスプレイパネル１００ａは、互いに交互に配置される複数の奇数番目ピクセル行ＰＲＯと複数の偶数番目ピクセル行ＰＲＥを含むことができる。奇数番目ピクセル行ＰＲＯの各々は交互に配置される第１ピクセルＰＸ１１と第２ピクセルＰＸ１２を含むことができる。偶数番目ピクセル行ＰＲＥの各々は交互に配置される第３ピクセルＰＸ１３と第４ピクセルＰＸ１４を含むことができる。
【００５２】
第１ピクセルＰＸ１１は、第１色光を表示する第１サブピクセルＳＰ１１及び第２色光を表示する第２サブピクセルＳＰ１２を含むことができる。第２ピクセルＰＸ１２は、第３色光を表示する第３サブピクセルＳＰ１３及び第２色光を表示する第２サブピクセルＳＰ１２を含むことができる。第３ピクセルＰＸ１３は、第３サブピクセルＳＰ１３及び第２サブピクセルＳＰ１２を含むことができる。第４ピクセルＰＸ１４は、第１サブピクセルＳＰ１１及び第２サブピクセルＳＰ１２を含むことができる。実施形態において、第１色光は赤色光で、第２色光は緑色光で、第３色光は青色光でありうる。即ち、図３のディスプレイパネル１００ａはペンタイル（pentile）構造で具現できる。
【００５３】
図４は、本発明の実施形態に係る図１の有機発光ディスプレイ装置におけるタイミングコントローラの構成を示すブロック図である。
【００５４】
図４を参照すると、タイミングコントローラ１３０は、信号生成器１３１及びデータコンバータ１４０を含むことができる。
【００５５】
信号生成器１３１は、制御信号（ＣＴＬ）とモード信号（ＭＳ）に基づいてデータドライバー１５０を制御する第１駆動制御信号（ＯＣＴＬ１）、スキャンドライバー１６０を制御する第２駆動制御信号（ＯＣＴＬ２）、発光ドライバー１７０を制御する第３駆動制御信号（ＯＣＴＬ４）、及び電源供給器１８０を制御する電源制御信号（ＰＣＴＬ）を生成することができる。データコンバータ１４０は、モード信号（ＭＳ）に基づいて、入力イメージデータ（ＲＧＢ）を、ブラックデータを含まない第１ディスプレイデータ（ＤＴＡ１）、またはブラックデータを含む第２ディスプレイデータ（ＤＴＡ２）に変換することができる。データコンバータ１４０は、第１ディスプレイデータ（ＤＴＡ１）のブラックデータを含む第２ディスプレイデータ（ＤＴＡ２）をデータドライバー１５０に提供することができる。
【００５６】
図５は、本発明の実施形態に係る図４のタイミングコントローラにおけるデータコンバータの一例を示すブロック図である。
【００５７】
図５のデータコンバータ１４０ａは、ディスプレイパネル１１０が図３のようにペンタイル構造で具現される場合を示す。
【００５８】
図５を参照すると、データコンバータ１４０ａは、スイッチング回路１４５ａ、第１プロセシングロジック１４１ａ、及び第２プロセシングロジック１４３ａを含むことができる。スイッチング回路１４５ａは、モード信号（ＭＳ）に応答して入力イメージデータ（ＲＧＢ）の経路を決定することができる。スイッチング回路１４５ａは、モード信号（ＭＳ）に応答してスイッチングされるスイッチＳＷ１１を含むことができる。
【００５９】
スイッチＳＷ１１はモード信号（ＭＳ）がノーマルモードを指示する場合に入力イメージデータ（ＲＧＢ）を第１プロセシングロジック１４１ａに伝達し、第１プロセシングロジック１４１ａは入力イメージデータ（ＲＧＢ）を処理してブラックデータを含まず、ペンタイル構造に符合する第１ディスプレイデータ（ＤＴＡＰ１）に変換してデータドライバー１５０に提供することができる。スイッチＳＷ１１はモード信号（ＭＳ）がディーミングモードを指示する場合に入力イメージデータ（ＲＧＢ）を第２プロセシングロジック１４３ａに伝達し、第２プロセシングロジック１４３ａは入力イメージデータ（ＲＧＢ）を処理してブラックデータを含み、ペンタイル構造に符合する第２ディスプレイデータ（ＤＴＡＰ２）に変換してデータドライバー１５０に提供することができる。
【００６０】
図６は、本発明の実施形態に係る図５のデータコンバータがノーマルモードでデータドライバーに提供する第１ディスプレイデータを示す。
【００６１】
図３、図５、及び図６を参照すると、データコンバータ１４０ａの第１プロセシングロジック１４１ａは、図３のペンタイル構造を有するディスプレイパネル１００ａのサブピクセルの各々が発光するように入力イメージデータ（ＲＧＢ）を処理してブラックデータを含まない第１ディスプレイデータ（ＤＴＡＰ１）をデータドライバー１５０に提供し、データドライバー１５０は第１ディスプレイデータ（ＤＴＡＰ１）に相応するデータ電圧をディスプレイパネル１００ａのサブピクセルの各々に提供することができる。
【００６２】
図７は、本発明の実施形態に係る図５のデータコンバータがディーミングモードでデータドライバーに提供する第２ディスプレイデータを示す。
【００６３】
図３、図５、及び図７を参照すると、データコンバータ１４０ａの第２プロセシングロジック１４３ａは、図３のペンタイル構造を有するディスプレイパネル１００ａのサブピクセルのうちの一部が発光しないように入力イメージデータ（ＲＧＢ）を処理してブラックデータを含む第２ディスプレイデータ（ＤＴＡＰ２）をデータドライバー１５０に提供し、データドライバー１５０は第２ディスプレイデータ（ＤＴＡＰ２）に相応するデータ電圧をディスプレイパネル１００ａのサブピクセルの各々に提供することができる。第２プロセシングロジック１４３ａは、入力イメージデータ（ＲＧＢ）を処理してディーミングモードでディスプレイパネル１００ａのサブピクセルのうち、第２ピクセルＰＸ１２と第４ピクセルＰＸ１４の第２サブピクセルＳＰ１２にブラックデータが含まれるように第２ディスプレイデータ（ＤＴＡＰ２）に変換することができる。前述したように、第２サブピクセルＳＰ１２は緑色光を担当するサブピクセルであり、ペンタイル構造の特性上、緑色光を担当するサブピクセルは各画素に含まれている。したがって、ディーミングモードで、図７のように、第２ディスプレイデータ（ＤＴＡＰ２）がディスプレイパネル１００ａに提供されても視認性には大きい差が発生しない。
【００６４】
図８及び図９は、本発明の実施形態に係る図５のデータコンバータがディーミングモードで連続する２つのフレームの間にデータドライバーに提供する第２ディスプレイデータを示す。
【００６５】
図３、図５、図８、及び図９を参照すると、データコンバータ１４０ａの第２プロセシングロジック１４３ａは、図３のペンタイル構造を有するディスプレイパネル１００ａのサブピクセルのうちの一部が発光しないように入力イメージデータ（ＲＧＢ）を処理して、第ｋフレーム区間（ｋは、自然数）の間には、ブラックデータを含む第２ディスプレイデータ（ＤＴＡＰ２１＿Ｏ）をデータドライバー１５０に提供し、ｋ＋１フレーム区間の間には、ブラックデータを含む第２ディスプレイデータ（ＤＴＡＰ２１＿Ｅ）をデータドライバー１５０に提供することができる。即ち、第２プロセシングロジック１４３ａは、ディーミングモードで、ｋフレーム区間の間にはディスプレイパネル１００ａのサブピクセルのうち、第２ピクセルＰＸ１２と第４ピクセルＰＸ１４の第２サブピクセルＳＰ１２にブラックデータが含まれるように第２ディスプレイデータ（ＤＴＡＰ２１＿Ｏ）に変換してデータドライバー１５０に提供し、ｋ＋１フレーム区間の間にはディスプレイパネル１００ａのサブピクセルのうち、第１ピクセルＰＸ１１と第３ピクセルＰＸ１３の第２サブピクセルＳＰ１２にブラックデータが含まれるように第２ディスプレイデータ（ＤＴＡＰ２１＿Ｅ）に変換してデータドライバー１５０に提供することができる。前述したように、第２サブピクセルＳＰ１２は緑色光を担当するサブピクセルであり、ペンタイル構造の特性上、緑色光を担当するサブピクセルは各画素に含まれている。したがって、ディーミングモードで、図８及び図９のように、第２ディスプレイデータ（ＤＴＡＰ２１＿Ｏ、ＤＴＡＰ２１＿Ｅ）がディスプレイパネル１００ａに提供されてもフレーム間のチョッピング（chopping）現象によって視認性には大きい差が発生しない。
【００６６】
図１０及び図１１は、本発明の実施形態に係る図５のデータコンバータがディーミングモードで連続する２つのフレームの間にデータドライバーに提供する第２ディスプレイデータを示す。
【００６７】
図３、図５、図１０、及び図１１を参照すると、データコンバータ１４０ａの第２プロセシングロジック１４３ａは、図３のペンタイル構造を有するディスプレイパネル１００ａのサブピクセルのうちの一部が発光しないように入力イメージデータ（ＲＧＢ）を処理して、第ｋフレーム区間の間には、ブラックデータを含む第２ディスプレイデータ（ＤＴＡＰ２２＿Ｏ）をデータドライバー１５０に提供し、ｋ＋１フレーム区間の間には、ブラックデータを含む第２ディスプレイデータ（ＤＴＡＰ２２＿Ｅ）をデータドライバー１５０に提供することができる。即ち、第２プロセシングロジック１４３ａは、ディーミングモードで、ｋフレーム区間の間にはディスプレイパネル１００ａのサブピクセルのうち、第２ピクセルＰＸ１２と第３ピクセルＰＸ１３の第２サブピクセルＳＰ１２にブラックデータが含まれるように、第２ディスプレイデータ（ＤＴＡＰ２２＿Ｏ）に変換してデータドライバー１５０に提供し、ｋ＋１フレーム区間の間にはディスプレイパネル１００ａのサブピクセルのうち、第１ピクセルＰＸ１１と第４ピクセルＰＸ１４の第２サブピクセルＳＰ１２にブラックデータが含まれるように、第２ディスプレイデータ（ＤＴＡＰ２２＿Ｅ）に変換してデータドライバー１５０に提供することができる。前述したように、第２サブピクセルＳＰ１２は緑色光を担当するサブピクセルであり、ペンタイル構造の特性上、緑色光を担当するサブピクセルは各画素に含まれている。したがって、ディーミングモードで、図１０及び図１１のように、第２ディスプレイデータ（ＤＴＡＰ２２＿Ｏ、ＤＴＡＰ２２＿Ｅ）がディスプレイパネル１００ａに提供されてもフレーム間のチョッピング（chopping）現象によって視認性には大きい差が発生しない。
【００６８】
図１２及び図１３は、本発明の実施形態に係る図５のデータコンバータがディーミングモードで連続する２つのフレームの間にデータドライバーに提供する第２ディスプレイデータを示す。
【００６９】
図３、図５、図１２、及び図１３を参照すると、データコンバータ１４０ａの第２プロセシングロジック１４３ａは、図３のペンタイル構造を有するディスプレイパネル１００ａのサブピクセルのうちの一部が発光しないように入力イメージデータ（ＲＧＢ）を処理して、第ｋフレーム区間の間には、ブラックデータを含む第２ディスプレイデータ（ＤＴＡＰ２３＿Ｏ）をデータドライバー１５０に提供し、ｋ＋１フレーム区間の間には、ブラックデータを含む第２ディスプレイデータ（ＤＴＡＰ２３＿Ｅ）をデータドライバー１５０に提供することができる。即ち、第２プロセシングロジック１４３ａは、ディーミングモードで、ｋフレーム区間の間にはディスプレイパネル１００ａの偶数番目ピクセル行にブラックデータが含まれるように、第２ディスプレイデータ（ＤＴＡＰ２３＿Ｏ）に変換してデータドライバー１５０に提供し、ｋ＋１フレーム区間の間にはディスプレイパネル１００ａの奇数番目ピクセル行にブラックデータが含まれるように、第２ディスプレイデータ（ＤＴＡＰ２３＿Ｅ）に変換してデータドライバー１５０に提供することができる。ディーミングモードで、図１２及び図１３のように、第２ディスプレイデータ（ＤＴＡＰ２３＿Ｏ、ＤＴＡＰ２３＿Ｅ）がディスプレイパネル１００ａに提供されてもフレーム間の空間的及び時間的ディザリング（dithering）現象によって視認性には大きい差が発生しない。
【００７０】
図１４及び図１５は、本発明の実施形態に係る図５のデータコンバータがディーミングモードで連続する２つのフレームの間にデータドライバーに提供する第２ディスプレイデータを示す。
【００７１】
図３、図５、図１４、及び図１５を参照すると、データコンバータ１４０ａの第２プロセシングロジック１４３ａは、図３のペンタイル構造を有するディスプレイパネル１００ａのサブピクセルのうちの一部が発光しないように入力イメージデータ（ＲＧＢ）を処理して、第ｋフレーム区間の間には、ブラックデータを含む第２ディスプレイデータ（ＤＴＡＰ２４＿Ｏ）をデータドライバー１５０に提供し、ｋ＋１フレーム区間の間には、ブラックデータを含む第２ディスプレイデータ（ＤＴＡＰ２４＿Ｅ）をデータドライバー１５０に提供することができる。即ち、第２プロセシングロジック１４３ａは、ディーミングモードで、ｋフレーム区間の間にはディスプレイパネル１００ａの第２ピクセルＰＸ１２と第４ピクセルＰＸ１４にブラックデータが含まれるように、第２ディスプレイデータ（ＤＴＡＰ２４＿Ｏ）に変換してデータドライバー１５０に提供し、ｋ＋１フレーム区間の間にはディスプレイパネル１００ａの第１ピクセルＰＸ１１と第３ピクセルＰＸ１３にブラックデータが含まれるように、第２ディスプレイデータ（ＤＴＡＰ２３＿Ｅ）に変換してデータドライバー１５０に提供することができる。ディーミングモードで、図１４及び図１５のように、第２ディスプレイデータ（ＤＴＡＰ２４＿Ｏ、ＤＴＡＰ２４＿Ｅ）がディスプレイパネル１００ａに提供されてもフレーム間の空間的及び時間的ディザリング（dithering）現象によって視認性には大きい差が発生しない。
【００７２】
図６から図１５で、Ｒは赤色光、Ｇは緑色光、Ｂは青色光を示し、ＢＬはブラックデータを示す。
【００７３】
図１６は、本発明の実施形態に係る図１の有機発光ディスプレイ装置におけるディスプレイパネルの他の例を示す。
【００７４】
図１６を参照すると、ディスプレイパネル１１０ｂは、互いに交互に配置される複数の奇数番目ピクセル行ＰＲＯと複数の偶数番目ピクセル行ＰＲＥを含むことができる。奇数番目ピクセル行ＰＲＯの各々は、交互に配置される第１ピクセルＰＸ２１及び第２ピクセルＰＸ２２を含むことができる。偶数番目ピクセル行ＰＲＥの各々は、交互に配置される第３ピクセルＰＸ２３及び第４ピクセルＰＸ２４を含むことができる。
【００７５】
第１から第４ピクセルＰＸ２１〜ＰＸ２４の各々は、第１色光を表示する第１サブピクセルＳＰ２１、第２色光を表示する第２サブピクセルＳＰ２２、及び第３色光を表示する第３サブピクセルＳＰ２３を含むことができる。実施形態において、第１色光は赤色光で、第２色光は緑色光で、第３色光は青色光でありうる。即ち、図１６のディスプレイパネル１１０ｂはリアルストリップ（real stripe）構造で具現できる。
【００７６】
図１７は、本発明の実施形態に係る図４のタイミングコントローラにおけるデータコンバータの他の例を示すブロック図である。
【００７７】
図１７のデータコンバータ１４０ｂは、ディスプレイパネル１１０が図１６のようにリアルストリップ構造で具現される場合を示す。
【００７８】
図１７を参照すると、データコンバータ１４０ｂは、スイッチング回路１４５ｂ、第１プロセシングロジック１４１ｂ、及び第２プロセシングロジック１４３ｂを含むことができる。スイッチング回路１４５ｂは、モード信号（ＭＳ）に応答して入力イメージデータ（ＲＧＢ）の経路を決定することができる。スイッチング回路１４５ｂは、モード信号（ＭＳ）に応答してスイッチングされるスイッチＳＷ２２を含むことができる。
【００７９】
スイッチＳＷ２２は、モード信号（ＭＳ）がノーマルモードを指示する場合に、入力イメージデータ（ＲＧＢ）を第１プロセシングロジック１４１ｂに伝達し、第１プロセシングロジック１４１ｂは入力イメージデータ（ＲＧＢ）を処理してブラックデータを含まず、リアルストリップ構造に符合する第１ディスプレイデータ（ＤＴＡＳ１）に変換してデータドライバー１５０に提供することができる。スイッチＳＷ２２は、モード信号（ＭＳ）がディーミングモードを指示する場合に、入力イメージデータ（ＲＧＢ）を第２プロセシングロジック１４３ｂに伝達し、第２プロセシングロジック１４３ｂは入力イメージデータ（ＲＧＢ）を処理してブラックデータを含み、リアルストリップ構造に符合する第２ディスプレイデータ（ＤＴＡＳ２）に変換してデータドライバー１５０に提供することができる。
【００８０】
図１８は、本発明の実施形態に係る図１７のデータコンバータがノーマルモードでデータドライバーに提供する第１ディスプレイデータを示す。
【００８１】
図１６から図１８を参照すると、データコンバータ１４０ｂの第１プロセシングロジック１４１ｂは、図１６のリアルストリップ構造を有するディスプレイパネル１１０ｂのサブピクセルの各々が発光するように入力イメージデータ（ＲＧＢ）を処理してブラックデータを含まない第１ディスプレイデータ（ＤＴＡＳ１）をデータドライバー１５０に提供し、データドライバー１５０は第１ディスプレイデータ（ＤＴＡＳ１）に相応するデータ電圧をディスプレイパネル１１０ｂのサブピクセルの各々に提供することができる。
【００８２】
図１９と図２０、図２１と図２２、図２３と図２４、図２５と図２６、図２７と図２８、及び図２９と図３０は、各々本発明の実施形態に係る図１７のデータコンバータがディーミングモードで連続する２つのフレームの間にデータドライバーに提供する第２ディスプレイデータを示す。
【００８３】
図１６及び図１７、図１９から図３０参照すると、データコンバータ１４０ｂの第２プロセシングロジック１４３ｂは、図１６のリアルストリップ構造を有するディスプレイパネル１１０ｂのサブピクセルのうちの一部が発光しないように入力イメージデータ（ＲＧＢ）を処理して第ｋフレーム区間の間にはブラックデータを含む第２ディスプレイデータ（ＤＴＡＳ２１＿Ｏ、ＤＴＡＳ２２＿Ｏ、ＤＴＡＳ２３＿Ｏ、ＤＴＡＳ２４＿Ｏ、ＤＴＡＳ２５＿Ｏ、ＤＴＡＳ２６＿Ｏ）をデータドライバー１５０に提供し、ｋ＋１フレーム区間の間にはブラックデータを含む第２ディスプレイデータ（ＤＴＡＳ２１＿Ｅ、ＤＴＡＳ２２＿Ｅ、ＤＴＡＳ２３＿Ｅ、ＤＴＡＳ２４＿Ｅ、ＤＴＡＳ２５＿Ｅ、ＤＴＡＳ２６＿Ｅ）をデータドライバー１５０に提供することができる。即ち、第２プロセシングロジック１４３ｂは、ディーミングモードで、ｋフレーム区間の間にはディスプレイパネル１００ａのサブピクセルのうち、第１ピクセルＰＸ２１と第３ピクセルＰＸ２３のサブピクセルＳＰ２１〜ＳＰ２３のうち、同一な１つのサブピクセルまたは第１ピクセルＰＸ２１と第４ピクセルＰＸ２４の同一なサブピクセルにブラックデータが含まれるように第２ディスプレイデータに変換してデータドライバー１５０に提供し、ｋ＋１フレーム区間の間にはディスプレイパネル１１０ｂのサブピクセルのうち、第２ピクセルＰＸ２２と第４ピクセルＰＸ２４のサブピクセルＳＰ２１〜ＳＰ２３のうち、同一な１つのサブピクセルまたは第２ピクセルＰＸ２２と第３ピクセルＰＸ２３の同一なサブピクセルにブラックデータが含まれるように第２ディスプレイデータに変換してデータドライバー１５０に提供することができる。ディーミングモードで、図１９から図３０のように、第２ディスプレイデータ（ＤＴＡＳ２１＿Ｏ〜ＤＴＡＳ２６＿Ｏ、ＤＴＡＳ２１＿Ｅ〜ＤＴＡＳ２６＿Ｅ）がディスプレイパネル１１０ｂに提供されてもフレーム間のチョッピング（chopping）現象によって視認性には大きい差が発生しない。
【００８４】
ここで、同一なサブピクセルは青色光を表示する第３サブピクセルＳＰ２３、緑色光を表示する第２サブピクセルＳＰ２２、及び赤色光を表示する第１サブピクセルＳＰ２１のうち、いずれか１つでありうる。
【００８５】
図１９及び図２０を参照すると、第２プロセシングロジック１４３ｂは、ディーミングモードで入力イメージデータ（ＲＧＢ）を変換して、ｋフレーム区間の間にはディスプレイパネル１１０ｂのサブピクセルのうち、第１ピクセルＰＸ２１と第３ピクセルＰＸ２３の第３サブピクセルＳＰ２３にブラックデータが含まれるように第２ディスプレイデータ（ＤＴＡ２１＿Ｏ）に変換してデータドライバー１５０に提供し、ｋ＋１フレーム区間の間にはディスプレイパネル１１０ｂのサブピクセルのうち、第２ピクセルＰＸ２２と第４ピクセルＰＸ２４の第３サブピクセルＳＰ２３にブラックデータが含まれるように第２ディスプレイデータ（ＤＴＡＳ２１＿Ｅ）に変換してデータドライバー１５０に提供することができる。
【００８６】
図２１及び図２２を参照すると、第２プロセシングロジック１４３ｂは、ディーミングモードで入力イメージデータ（ＲＧＢ）を変換して、ｋフレーム区間の間にはディスプレイパネル１１０ｂのサブピクセルのうち、第１ピクセルＰＸ２１と第４ピクセルＰＸ２４の第３サブピクセルＳＰ２３にブラックデータが含まれるように第２ディスプレイデータ（ＤＴＡ２２＿Ｏ）に変換してデータドライバー１５０に提供し、ｋ＋１フレーム区間の間にはディスプレイパネル１１０ｂのサブピクセルのうち、第２ピクセルＰＸ２２と第３ピクセルＰＸ２３の第３サブピクセルＳＰ２３にブラックデータが含まれるように第２ディスプレイデータ（ＤＴＡＳ２２＿Ｅ）に変換してデータドライバー１５０に提供することができる。
【００８７】
図２３及び図２４を参照すると、第２プロセシングロジック１４３ｂは、ディーミングモードで入力イメージデータ（ＲＧＢ）を変換して、ｋフレーム区間の間にはディスプレイパネル１１０ｂのサブピクセルのうち、第１ピクセルＰＸ２１と第３ピクセルＰＸ２３の第２サブピクセルＳＰ２２にブラックデータが含まれるように第２ディスプレイデータ（ＤＴＡ２３＿Ｏ）に変換してデータドライバー１５０に提供し、ｋ＋１フレーム区間の間にはディスプレイパネル１１０ｂのサブピクセルのうち、第２ピクセルＰＸ２２と第４ピクセルＰＸ２４の第２サブピクセルＳＰ２２にブラックデータが含まれるように第２ディスプレイデータ（ＤＴＡＳ２３＿Ｅ）に変換してデータドライバー１５０に提供することができる。
【００８８】
図２５及び図２６を参照すると、第２プロセシングロジック１４３ｂは、ディーミングモードで入力イメージデータ（ＲＧＢ）を変換して、ｋフレーム区間の間にはディスプレイパネル１１０ｂのサブピクセルのうち、第１ピクセルＰＸ２１と第４ピクセルＰＸ２４の第２サブピクセルＳＰ２２にブラックデータが含まれるように第２ディスプレイデータ（ＤＴＡ２４＿Ｏ）に変換してデータドライバー１５０に提供し、ｋ＋１フレーム区間の間にはディスプレイパネル１１０ｂのサブピクセルのうち、第２ピクセルＰＸ２２と第３ピクセルＰＸ２３の第２サブピクセルＳＰ２２にブラックデータが含まれるように第２ディスプレイデータ（ＤＴＡＳ２４＿Ｅ）に変換してデータドライバー１５０に提供することができる。
【００８９】
図２７及び図２８を参照すると、第２プロセシングロジック１４３ｂは、ディーミングモードで入力イメージデータ（ＲＧＢ）を変換して、ｋフレーム区間の間にはディスプレイパネル１１０ｂのサブピクセルのうち、第１ピクセルＰＸ２１と第３ピクセルＰＸ２３の第１サブピクセルＳＰ２１にブラックデータが含まれるように第２ディスプレイデータ（ＤＴＡ２５＿Ｏ）に変換してデータドライバー１５０に提供し、ｋ＋１フレーム区間の間にはディスプレイパネル１１０ｂのサブピクセルのうち、第２ピクセルＰＸ２２と第４ピクセルＰＸ２４の第１サブピクセルＳＰ２１にブラックデータが含まれるように第２ディスプレイデータ（ＤＴＡＳ２５＿Ｅ）に変換してデータドライバー１５０に提供することができる。
【００９０】
図２９及び図３０を参照すると、第２プロセシングロジック１４３ｂは、ディーミングモードで入力イメージデータ（ＲＧＢ）を変換して、ｋフレーム区間の間にはディスプレイパネル１１０ｂのサブピクセルのうち、第１ピクセルＰＸ２１と第４ピクセルＰＸ２４の第１サブピクセルＳＰ２１にブラックデータが含まれるように第２ディスプレイデータ（ＤＴＡ２６＿Ｏ）に変換してデータドライバー１５０に提供し、ｋ＋１フレーム区間の間にはディスプレイパネル１１０ｂのサブピクセルのうち、第２ピクセルＰＸ２２と第３ピクセルＰＸ２３の第１サブピクセルＳＰ２１にブラックデータが含まれるように第２ディスプレイデータ（ＤＴＡＳ２６＿Ｅ）に変換してデータドライバー１５０に提供することができる。
【００９１】
図３１及び図３２は、本発明の実施形態に係る図１７のデータコンバータがディーミングモードで連続する２つのフレームの間にデータドライバーに提供する第２ディスプレイデータを示す。
【００９２】
図１６、図１７、図３１、及び図３２を参照すると、データコンバータ１４０ｂの第２プロセシングロジック１４３ｂは、図１６のリアルストリップ構造を有するディスプレイパネル１１０ｂのサブピクセルのうちの一部が発光しないように入力イメージデータ（ＲＧＢ）を処理して、第ｋフレーム区間の間にはブラックデータを含む第２ディスプレイデータ（ＤＴＡＳ２７＿Ｏ）をデータドライバー１５０に提供し、ｋ＋１フレーム区間の間にはブラックデータを含む第２ディスプレイデータ（ＤＴＡＳ２７＿Ｅ）をデータドライバー１５０に提供することができる。即ち、第２プロセシングロジック１４３ｂは、ディーミングモードで、ｋフレーム区間の間には入力イメージデータ（ＲＧＢ）を処理してディスプレイパネル１００ａの第１ピクセルＰＸ２１と第４ピクセルＰＸ２４にブラックデータが含まれるように第２ディスプレイデータ（ＤＴＡＳ２７＿Ｏ）に変換してデータドライバー１５０に提供し、ｋ＋１フレーム区間の間には入力イメージデータ（ＲＧＢ）を処理してディスプレイパネル１００ａの第２ピクセルＰＸ２２と第４ピクセルＰＸ２３にブラックデータが含まれるように第２ディスプレイデータ（ＤＴＡＳ２７＿Ｅ）に変換してデータドライバー１５０に提供することができる。ディーミングモードで、図３１及び図３２のように、第２ディスプレイデータ（ＤＴＡＳ２７＿Ｏ、ＤＴＡＳ２７＿Ｅ）がディスプレイパネル１１０ｂに提供されてもフレーム間のディザリング（dithering）現象によって視認性には大きい差が発生しない。
【００９３】
図１９から図３２で、Ｒは赤色光、Ｇは緑色光、Ｂは青色光を示し、ＢＬはブラックデータを示す。
【００９４】
図３３は、本発明の実施形態に係る図１の有機発光ディスプレイ装置における発光ドライバーの構成を示すブロック図である。
【００９５】
図３３を参照すると、発光ドライバー１７０は互いに従属的に連結されて発光制御信号を順次に出力する複数のステージ（ＳＴＡＧＥ１〜ＳＴＡＧＥｎ）を含む。
【００９６】
ステージ（ＳＴＡＧＥ１〜ＳＴＡＧＥｎ）は、各々対応する発光制御ライン（ＥＬ１〜ＥＬｎ）に連結されて発光制御信号を順次に出力する。発光制御信号は所定の区間の間、互いにオーバーラップして出力される。
【００９７】
ステージ（ＳＴＡＧＥ１〜ＳＴＡＧＥｎ）は、各々第１電源電圧（ＶＧＬ）及び第１電圧（ＶＧＬ）より高いレベルを有する第２電源電圧（ＶＧＨ）の提供を受ける。また、ステージ（ＳＴＡＧＥ１〜ＳＴＡＧＥｎ）は各々第１クロック信号（ＣＬＫ１）及び第２クロック信号（ＣＬＫ２）の提供を受ける。
【００９８】
以下、発光制御ライン（ＥＬ１〜ＥＬｎ）を通じて出力される発光制御信号は第１から第ｎ発光制御信号として定義する。
【００９９】
ステージ（ＳＴＡＧＥ１〜ＳＴＡＧＥｎ）のうち、第１ステージ（ＳＴＡＧＥ１）は開始信号（ＦＬＭ）の提供を受けて駆動される。具体的に、第１ステージ（ＳＴＡＧＥ１）は第１電圧（ＶＧＬ）及び第２電圧（ＶＧＨ）の提供を受けて、開始信号（ＦＬＭ）、第１クロック信号（ＣＬＫ１）、及び第２クロック信号（ＣＬＫ２）に応答して第１発光制御信号（ＥＣ１）を生成する。第１発光制御信号（ＥＣ１）は、第１発光制御ライン（ＥＬ１）を通じて対応するピクセル行のピクセルに提供される。
【０１００】
第１ステージ（ＳＴＡＧＥ１）を除外したステージ（ＳＴＡＧＥ２〜ＳＴＡＧＥｎ）は、各々互いに従属的に連結されて順次に駆動される。具体的に、現在段ステージは以前段ステージの出力段に連結され、以前段ステージから出力される発光制御信号の提供を受ける。現在段ステージは以前段ステージから提供を受けた発光制御信号に応答して駆動される。
【０１０１】
例えば、第２ステージ（ＳＴＡＧＥ２）は以前段ステージである第１ステージ（ＳＴＡＧＥ１）から出力される第１発光制御信号（ＥＣ１）の提供を受ける。第２ステージ（ＳＴＡＧＥ２）は、第１発光制御信号（ＥＣ１）に応答して駆動される。具体的に、第２ステージ（ＳＴＡＧＥ２）は第１電圧（ＶＧＬ）及び第２電圧（ＶＧＨ）の提供を受けて、第１発光制御信号（ＥＣ１）、第１クロック信号（ＣＬＫ１）、及び第２クロック信号（ＣＬＫ２）に応答して第２発光制御信号（ＥＣ２）を生成する。第２発光制御信号（ＥＣ２）は、第２発光制御ライン（ＥＬ２）を通じて対応するピクセル行に配列されたピクセルに提供される。その他のステージ（ＳＴＡＧＥ３〜ＳＴＡＧＥｎ）やはり同一に動作するので、以下、その他のステージ（ＳＴＡＧＥ３〜ＳＴＡＧＥｎ）の動作説明は省略する。
【０１０２】
図３４は、図３３に図示されたステージの構成を詳細に示す回路図である。
【０１０３】
図３４には第１ステージ（ＳＴＡＧＥ１）及び第２ステージ（ＳＴＡＧＥ２）の回路図が図示されたが、実質的にステージ（ＳＴＡＧＥ３〜ＳＴＡＧＥｎ）は同一な構成を有して同一に動作する。したがって、以下、第１ステージ（ＳＴＡＧＥ１）の構成と動作が詳細に説明され、第２ステージ（ＳＴＡＧＥ２）及びその他のステージ（ＳＴＡＧＥ３〜ＳＴＡＧＥｎ）の構成と動作は簡略に説明される。
【０１０４】
図３４を参照すると、ステージ（ＳＴＡＧＥ１〜ＳＴＡＧＥｎ）は各々第１信号処理部１７１、第２信号処理部１７２、及び第３信号処理部１７３を含む。
【０１０５】
ステージ（ＳＴＡＧＥ１〜ＳＴＡＧＥｎ）の各々の第１信号処理部１７１に提供される制御信号は、第１サブ制御信号及び第２サブ制御信号として定義できる。具体的に、各々のステージ（ＳＴＡＧＥ１〜ＳＴＡＧＥｎ）の第１信号処理部１７１は、前段から出力される発光制御信号を第１サブ制御信号として提供を受けることができる。第１ステージ（ＳＴＡＧＥ１）の第１信号処理部１５１は、第１サブ制御信号として開始信号（ＦＬＭ）の提供を受けることができる。また、奇数番目ステージ（ＳＴＡＧＥ１、ＳＴＡＧＥ３、・・・、ＳＴＡＧＥｎ−１）の各々の第１信号処理部１７１は第２サブ制御信号として第１クロック信号（ＣＬＫ１）の提供を受けることができる。偶数番目ステージ（ＳＴＡＧＥ２、ＳＴＡＧＥ４、・・・、ＳＴＡＧＥｎ）の各々の第１信号処理部１７１は、第２サブ制御信号として第２クロック信号（ＣＬＫ２）の提供を受けることができる。したがって、第１信号処理部１７１は第１電圧（ＶＧＬ）の提供を受けて、第１サブ制御信号、及び第２サブ制御信号に応答して第１信号（ＣＳ１）及び第２信号（ＣＳ２）を生成することができる。第１信号（ＣＳ１）及び第２信号（ＣＳ２）は、第２信号処理部１７２に提供される。
【０１０６】
第１ステージ（ＳＴＡＧＥ１）を例として説明すると、第１ステージ（ＳＴＡＧＥ１）の第１信号処理部１７１は第１電圧（ＶＧＬ）の提供を受けて、開始信号（ＦＬＭ）及び第１クロック信号（ＣＬＫ１）に応答して第１信号（ＣＳ１）及び第２信号（ＣＳ２）を生成する。第１信号処理部１７１は、第１信号（ＣＳ１）及び第２信号（ＣＳ２）を第２信号処理部１７２に提供する。第１信号処理部１７１は、第１から第３トランジスタＭ１〜Ｍ３を含む。第１から第３トランジスタＭ１〜Ｍ３はＰＭＯＳトランジスタで構成できる。
【０１０７】
第１トランジスタＭ１のソースは開始信号（ＦＬＭ）の提供を受けて、ゲートは第１クロック信号（ＣＬＫ１）の提供を受けて、ドレインは第２トランジスタＭ２のゲートに連結される。第２トランジスタＭ２のゲートは第１トランジスタＭ１のドレインに連結され、ソースは第３トランジスタＭ３のソースに連結され、ドレインは第１クロック信号（ＣＬＫ１）の提供を受ける。第３トランジスタＭ３のゲートは第１クロック信号（ＣＬＫ１）の提供を受けて、第２トランジスタＭ２のドレインに連結される。第３トランジスタＭ３のソースは第２トランジスタＭ２のソースに連結され、ドレインは第１電圧（ＶＧＬ）の提供を受ける。
【０１０８】
第１信号（ＣＳ１）は、互いに連結された第２及び第３トランジスタＭ２、Ｍ３のソースを通じて出力される。第２信号（ＣＳ２）は、第１トランジスタＭ１のドレインを通じて出力される。
【０１０９】
ステージ（ＳＴＡＧＥ１〜ＳＴＡＧＥｎ）の各々の第２信号処理部１７２に提供される制御信号は、第３サブ制御信号として定義できる。具体的には、奇数番目ステージ（ＳＴＡＧＥ１、ＳＴＡＧＥ３、・・・、ＳＴＡＧＥｎ−１）の各々の第２信号処理部１７２は、第３サブ制御信号として第２クロック信号（ＣＬＫ２）の提供を受けることができる。偶数番目ステージ（ＳＴＡＧＥ２、ＳＴＡＧＥ４、・・・、ＳＴＡＧＥｎ）の各々の第２信号処理部１７２は、第３サブ制御信号として第１クロック信号（ＣＬＫ１）の提供を受けることができる。第２信号処理部１７２は第２電圧（ＶＧＨ）の提供を受けて、第２サブ制御信号、第１信号（ＣＳ１）、及び第２信号（ＣＳ３）に応答して、第３信号（ＣＳ３）及び第４信号（ＣＳ４）を生成することができる。第３信号（ＣＳ３）及び第４信号（ＣＳ４）は、第２信号処理部１７２に提供される。
【０１１０】
第１ステージ（ＳＴＡＧＥ１）を例として説明すると、第１ステージ（ＳＴＡＧＥ１）の第２信号処理部１７２は第２電圧（ＶＧＨ）の提供を受けて、第２クロック信号（ＣＬＫ２）と第１信号処理部１７１から提供を受けた第１信号（ＣＳ１）及び第２信号（ＣＳ２）に応答して第３信号（ＣＳ３）及び第４信号（ＣＳ３）を生成する。第２信号処理部１７２は、第３信号（ＣＳ３）及び第４信号（ＣＳ４）を第３信号処理部１７３に提供する。第２信号処理部１７２は、第４から第７トランジスタＭ４〜Ｍ７と第１及び第２キャパシタＣ１、Ｃ２を含む。第４から第７トランジスタＭ４〜Ｍ７は，ＰＭＯＳトランジスタで構成できる。
【０１１１】
第４トランジスタＭ４のゲートは、第２クロック信号（ＣＬＫ２）の提供を受けて、ドレイン端子は第１ノードＮ１及び第２トランジスタＭ２のゲートに連結され、ソース端子は第５トランジスタＭ５のドレインに連結される。第１キャパシタＣ１の第１電極は第２クロック信号（ＣＬＫ２）の提供を受けて、第２電極は第４トランジスタＭ４のドレイン及び第１ノードＮ１に連結される。第５トランジスタＭ５のゲートは第３トランジスタＭ３のソース及び第２ノードＮ２に連結され、ソースは第２電圧（ＶＧＨ）の提供を受けて、ドレインは第４トランジスタＭ４のソースに連結される。第６トランジスタＭ６のゲートは第２ノードＮ２に連結され、ソースは第７トランジスタＭ７のドレインに連結され、ドレインは第２クロック信号（ＣＬＫ２）の提供を受ける。第２キャパシタＣ２の第１電極は第６トランジスタＭ６のゲートに連結され、第２電極は第６トランジスタＭ６のソースに連結される。第７トランジスタＭ７のゲートは第２クロック信号（ＣＬＫ２）の提供を受けて、ソースは第３ノードＮ３に連結され、ドレインは第６トランジスタＭ６のソースに連結される。
【０１１２】
第３信号（ＣＳ３）は、第３ノードＮ３に提供される。第４信号（ＣＳ４）は、第１ノードＮ１に提供される。第１ステージ（ＳＴＡＧＥ１）の第３信号処理部１７３は、第１電圧（ＶＧＬ）及び第２電圧（ＶＧＨ）の提供を受けて、第２信号処理部１７２から提供を受けた第３信号（ＣＳ３）及び第４信号（ＣＳ４）に応答して第１発光制御信号（ＥＣ１）を生成する。第１発光制御信号（ＥＣ１）は、第１発光制御ライン（ＥＬ１）を通じてピクセルに提供される。第１発光制御信号（ＥＣ１）は、第２ステージ（ＳＴＡＧＥ２）の第１信号処理部１７１に提供される。
【０１１３】
第３信号処理部１７３は、第８から第１０トランジスタＭ８〜Ｍ１０及び第３キャパシタＣ３を含む。第８から第１０トランジスタＭ８〜Ｍ１０は、ＰＭＯＳトランジスタで構成できる。
【０１１４】
第８トランジスタＭ８のゲート端子は第１ノードＮ１に連結され、ソースは第２電圧（ＶＧＨ）の提供を受けて、ドレインは第３ノードＮ３に連結される。第３キャパシタＣ３の第１電極は第２電圧（ＶＧＨ）の提供を受けて、第２電極は第３ノードＮ３に連結される。第９トランジスタＭ９のゲートは第３ノードＮ３に連結され、ソースは第２電圧（ＶＧＨ）の提供を受けて、ドレインは第１発光制御ライン（ＥＬ１）に連結される。第１０トランジスタＭ１０のゲートは第１ノードＮ１に連結され、ソースは第１発光制御ライン（ＥＬ１）に連結され、ドレインは第１電圧（ＶＧＬ）の提供を受ける。第９トランジスタＭ９のドレイン及び第１０トランジスタＭ１０のソースは、第２ステージ（ＳＴＡＧＥ２）の第１信号処理部１７１の第１トランジスタＭ１のソース端子に連結される。
【０１１５】
図３５は、ブラックデータを使用しない従来のディーミングモードで図３４に図示された第１ステージの動作を説明するタイミング図である。
【０１１６】
図３５を参照すると、第１クロック信号（ＣＬＫ１）及び第２クロック信号（ＣＬＫ２）は同一な周波数を有する。即ち、第１クロック信号（ＣＬＫ１）及び第２クロック信号（ＣＬＫ２）は同一な第１周期（Ｔ１）を有する。第２クロック信号（ＣＬＫ２）は、第１クロック信号（ＣＬＫ１）の第１周期（Ｔ１）の半周期だけ第１クロック信号（ＣＬＫ１）がシフトされた信号である。第１クロック信号（ＣＬＫ１）から第２クロック信号（ＣＬＫ２）がシフトされた区間は第１区間（１Ｈ）と定義できる。
【０１１７】
開始信号（ＦＬＭ）は第１ステージ（ＳＴＡＧＥ１）のみに提供され、開始信号（ＦＬＭ）のハイレベル区間は第２区間（ＩＮＴ１１）と定義できる。第２区間（ＩＮＴ１１）は、第１クロック信号（ＣＬＫ１）及び第２クロック信号（ＣＬＫ２）の周期の２倍区間に設定できる。即ち、第２区間（ＩＮＴ１１）は１区間（１Ｈ）の４倍時間を有する区間に設定できる。
【０１１８】
開始信号（ＦＬＭ）は、第１クロック信号（ＣＬＫ１）がハイレベルからローレベルに遷移される時、ローレベルからハイレベルに遷移できる。前述したように、開始信号（ＦＬＭ）はローレベルからハイレベルに遷移された後、第２区間（ＩＮＴ１１）の間ハイレベルを維持する。即ち、開始信号（ＦＬＭ）は第１クロック信号（ＣＬＫ１）がハイレベルからローレベルに遷移される時に活性化され、活性化された区間は第２区間（ＩＮＴ１１）の間維持される。
【０１１９】
以下、各信号のハイレベルは第１レベルと定義され、ハイレベルより低いローレベルは第２レベルと定義される。また、第１電圧（ＶＧＬ）は第２レベルを有することができ、第２電圧（ＶＧＨ）は第１レベルを有することができる。
【０１２０】
第１時間（ｔ１１）で、開始信号（ＦＬＭ）及び第１クロック信号（ＣＬＫ１）は第２レベルを有し、第２クロック信号（ＣＬＫ２）は第１レベルを有する。第２レベルを有する第１クロック信号（ＣＬＫ１）は第１トランジスタＭ１のゲート及び第３トランジスタＭ３のゲートに提供される。したがって、第１トランジスタＭ１及び第３トランジスタＭ３はターンオンされる。ターンオンされた第１トランジスタＭ１を通じて第２レベルを有する開始信号（ＦＬＭ）は第２トランジスタＭ２のゲート及び第１ノードＮ１に提供される。したがって、第２トランジスタＭ２はターンオンされ、第１ノードＮ１の電圧は第２レベルを有する。
【０１２１】
ターンオンされた第２トランジスタＭ２を通じて、第２レベルを有する第１クロック信号（ＣＬＫ１）とターンオンされた第３トランジスタＭ３を通じて第１電圧（ＶＧＬ）が第２ノードＮ２に提供される。したがって、第２ノードの電圧は第２レベルを有する。第１レベルを有する第２クロック信号（ＣＬＫ２）は、第４トランジスタＭ４及び第７トランジスタＭ７に提供される。したがって、第４及び第７トランジスタＭ４、Ｍ７はターンオフされる。第１ノードＮ１の電圧が第２レベルを有するので、第８トランジスタＭ８はターンオンされる。ターンオンされた第８トランジスタＭ８を通じて第２電圧（ＶＧＨ）が第３ノードＮ３に提供される。したがって、第３ノードＮ３の電圧は第１レベルを有する。第３キャパシタＣ３には第２電圧（ＶＧＨ）が充電される。即ち、第３キャパシタＣ３には第１レベルを有する電圧が充電される。第３ノードＮ３の電圧は第１レベルを有するので、第９トランジスタＭ９はターンオフされる。第１ノードＮ１の電圧は第２レベルを有するので、第１０トランジスタＭ１０はターンオンされる。ターンオンされた第１０トランジスタＭ１０により第１電圧（ＶＧＬ）が第１発光制御ライン（ＥＬ１）に提供される。したがって、第１発光制御信号（ＥＣ１）は第２レベルを有する。
【０１２２】
第２時間（ｔ１２）で、開始信号（ＦＬＭ）は第２レベルを有し、第１クロック信号（ＣＬＫ１）及び第２クロック信号（ＣＬＫ２）は第１レベルを有する。第１レベルを有する第１クロック信号（ＣＬＫ１）により、第１トランジスタＭ１及び第３トランジスタＭ３はターンオフされる。第１ノードＮ１の電圧は第２レベルに維持されるので、第２トランジスタＭ２はターンオンされる。ターンオンされた第２トランジスタＭ２を通じて、第１レベルを有する第１クロック信号（ＣＬＫ１）が第２ノードＮ２に提供される。したがって、第２ノードＮ２の電圧は第１レベルを有する。第１ノードＮ１の電圧は第２レベルを有するので、第８トランジスタＭ８及び第１０トランジスタＭ１０はターンオンされる。ターンオンされた第８トランジスタＭ８を通じて、第２電圧（ＶＧＨ）が第３ノードＮ３に提供されるので、第３ノードＮ３の電圧は第１レベルを維持する。第３ノードＮ３の電圧が第１レベルを有し、第１ノードＮ１の電圧が第２レベルを有するので、第９トランジスタＭ９はターンオフされ、第１０トランジスタＭ１０はターンオンされる。したがって、第１発光制御信号は第２レベルを維持する。
【０１２３】
第３時間（ｔ１３）で、第２クロック信号（ＣＬＫ２）は第１レベルから第２レベルに遷移した後、第２レベルから第１レベルにまた遷移する。したがって、第１ノードＮ１の電位は第１キャパシタＣ１のカップリング（coupling）により第２クロック信号（ＣＬＫ２）の電位変化量だけブートストラップ（Boot Strap）される。即ち、第２時間（ｔ１２）で第２レベルの電圧を有する第１ノードＮ１は、第１キャパシタＣ１のカップリング（coupling）により第２クロック信号（ＣＬＫ２）の第２レベル区間で第２レベルより低い電圧レベルを有する第３レベルの電圧を有する。一般的なＰＭＯＳトランジスタはより低い電圧レベルの印加を受けるほど良い駆動特性を有する。第２クロック信号（ＣＬＫ２）の第２レベル区間で第１ノードＮ１の電圧は第２レベルより低い第３レベルを有するので、第８及び第１０トランジスタＭ８、Ｍ９の駆動特性は向上できる。第１発光制御信号（ＥＣ１）は第２レベルを維持する。
【０１２４】
第４時間（ｔ１４）で、開始信号（ＦＬＭ）及び第２クロック信号（ＣＬＫ２）は第１レベルを有し、第１クロック信号（ＣＬＫ１）は第２レベルを有する。第２レベルを有する第１クロック信号（ＣＬＫ１）により第１トランジスタＭ１はターンオンされ、第１レベルを有する開始信号（ＦＬＭ）は第１ノードＮ１に提供される。第１ノードＮ１の電圧は第１レベルを有する。第１ノードＮ１の電圧が第１レベルを有するので、第２トランジスタＭ２及び第１０トランジスタＭ１０はターンオフされる。第２レベルを有する第１クロック信号（ＣＬＫ１）により第３トランジスタＭ３はターンオンされ、第１電圧（ＶＧＬ）は第２ノードＮ２に提供される。したがって、第２ノードＮ２の電圧は第２レベルを有する。第１レベルを有する第２クロック信号（ＣＬＫ２）により第７トランジスタＭ７はターンオフされる。第１ノードＮ１の電圧は第１レベルを有するので、第８トランジスタＭ８はターンオフされる。第３ノードＮ３の電圧は第３キャパシタＣ３により第１レベルを維持する。第３ノードＮ３の電圧は第１レベルを維持するので、第９トランジスタＭ９はターンオフされる。したがって、第１発光制御信号（ＥＣ１）は第２レベルを維持する。
【０１２５】
第５時間（ｔ１５）で、開始信号（ＦＬＭ）及び第１クロック信号（ＣＬＫ１）は第１レベルを有し、第２クロック信号（ＣＬＫ２）は第２レベルを有する。第１レベルを有する第１クロック信号（ＣＬＫ１）により第１トランジスタＭ１及び第３トランジスタＭ３はターンオフされる。第１ノードＮ１の電圧は第１レベルを維持するので、第２トランジスタＭ２、第８トランジスタＭ８、及び第１０トランジスタＭ１０はターンオフされる。第２レベルを有する第２クロック信号（ＣＬＫ２）により第４トランジスタＭ４及び第７トランジスタＭ７がターンオンされる。また、第２ノードＭ２の電圧は第２レベルを有するので、第５トランジスタＭ５及び第６トランジスタＭ６はターンオンされる。
【０１２６】
前述したブートストラップのように、第２ノードＮ２の電位は第２キャパシタＣ２のカップリングにより第２クロック信号（ＣＬＫ２）の電位変化量だけブートストラップ（Boot Strap）される。即ち、第２クロック信号（ＣＬＫ２）の第２レベル区間で第２ノードＮ２の電圧は第２レベルより低い第３レベルを有する。ターンオンされた第６及び第７トランジスタＭ６、Ｍ７を通じて第２レベルを有する第２クロック信号（ＣＬＫ２）が第３ノードＮ３に提供される。したがって、第５時間（ｔ１５）で第３ノードＮ３の電圧は第２レベルを有する。第３ノードＮ３の電圧が第２レベルを有するので、第９トランジスタＭ９はターンオンされる。第９トランジスタＭ９がターンオンされ、第１０トランジスタＭ１０がターンオフされるので、第１発光制御信号（ＥＣ１）は第１レベルを有する。
【０１２７】
第６時間（ｔ１６）で、開始信号（ＦＬＭ）及び第１クロック信号（ＣＬＫ１）は第２レベルを有し、第２クロック信号（ＣＬＫ２）は第１レベルを有する。前述した第１時間（ｔ１１）の動作を参照すると、第６時間（ｔ１６）で第１発光制御信号（ＥＣ１）は第２レベルを有する。第１発光制御信号（ＥＣ１）が第１レベルを有する区間は第３区間（ＩＮＴ１２）と定義できる。第３区間（ＩＮＴ１２）は第１区間（Ｈ１）の３倍時間を有する区間に設定できる。第１発光制御信号（ＥＣ１）は、第２ステージ（ＳＴＡＧＥ２）と第１発光制御ライン（ＥＬ１）を通じて画素に提供される。
【０１２８】
第２ステージ（ＳＴＡＧＥ２）は、第１発光制御信号（ＥＣ１）、第１クロック信号（ＣＬＫ１）、及び第２クロック信号（ＣＬＫ２）に応答して第２発光制御信号（ＥＣ２）を生成する。第２発光制御信号（ＥＣ２）は、第１発光制御信号（ＥＣ１）より第１区間（Ｈ１）だけシフトされて出力される。即ち、ステージ（ＳＴＡＧＥ１〜ＳＴＡＧＥｎ）から出力される発光制御信号は、順次に第１区間（Ｈ１）だけシフトされて出力される。具体的に、現在段ステージから出力される発光制御信号は、以前段ステージから出力される発光制御信号を第１区間（Ｈ１）だけシフトした信号である。発光制御信号が第１レベルを有する区間の間、該当ピクセル行のピクセルは発光しない。
【０１２９】
図３５のように、非発光区間を増加させて表示パネル１１０の輝度を減少させるディーミング動作を遂行する場合に、表示パネル１１０にデータ電圧変化に従う縞が生じる不具合が発生することがある。
【０１３０】
図３６は、本発明の実施形態によってブラックデータを使用するディーミングモードで図３４に図示された第１ステージの動作を説明するタイミング図である。
【０１３１】
図３６で、第１時間（ｔ２１）から第５時間（ｔ２５）での動作は、図３５の第１時間（ｔ１１）から第５時間（ｔ１５）での動作と実質的に同一であるので、詳細な説明は省略する。
【０１３２】
図３６で、開始信号（ＦＬＭ）のハイレベル区間は第２区間（ＩＮＴ２１）と定義できる。第２区間（ＩＮＴ２１）は、第１クロック信号（ＣＬＫ１）及び第２クロック信号（ＣＬＫ２）の周期と同一な区間に設定できる。開始信号（ＦＬＭ）は、ローレベルからハイレベルに遷移された後、第２区間（ＩＮＴ２１）の間ハイレベルを維持する。即ち、開始信号（ＦＬＭ）は第１クロック信号（ＣＬＫ１）がハイレベルからローレベルに遷移される時に活性化され、活性化された区間は第２区間（ＩＮＴ２１）の間維持される。
【０１３３】
第６時間（ｔ２６）で、開始信号（ＦＬＭ）及び第１クロック信号（ＣＬＫ１）は第２レベルを有し、第２クロック信号（ＣＬＫ２）は第１レベルを有する。第６時間（ｔ１６）で、第１発光制御信号（ＥＣ１）は第２レベルを有する。第１発光制御信号（ＥＣ１）が第１レベルを有する区間は第３区間（ＩＮＴ２２）と定義できる。第３区間（ＩＮＴ２２）は、第１区間（Ｈ１）の１．５倍時間を有する区間に設定できる。第１発光制御信号（ＥＣ１）は、第２ステージ（ＳＴＡＧＥ２）と第１発光制御ライン（ＥＬ１）を通じて画素に提供される。
【０１３４】
第２ステージ（ＳＴＡＧＥ２）は、第１発光制御信号（ＥＣ１）、第１クロック信号（ＣＬＫ１）、及び第２クロック信号（ＣＬＫ２）に応答して第２発光制御信号（ＥＣ２）を生成する。第２発光制御信号（ＥＣ２）は、第１発光制御信号（ＥＣ１）より第１区間（Ｈ１）だけシフトされて出力される。即ち、ステージ（ＳＴＡＧＥ１〜ＳＴＡＧＥｎ）から出力される発光制御信号は順次に第１区間（Ｈ１）だけシフトされて出力される。具体的に、現在段ステージから出力される発光制御信号は、以前段ステージから出力される発光制御信号を第１区間（Ｈ１）だけシフトした信号である。発光制御信号が第１レベルを有する区間の間該当ピクセル行のピクセルは発光しない。
【０１３５】
図３６のように、ブラックデータを含むデータ電圧を表示パネル１１０に提供しながら非発光区間を減少させて、ディスプレイパネル１１０の輝度を減少させるディーミング動作を遂行するため、ディスプレイパネル１１０にデータ電圧変化に従う縞が生じる不具合を防止し、かつディスプレイパネル１１０は図３５と同一な輝度を有することができる。
【０１３６】
図３７は、本発明の実施形態に係る有機発光ディスプレイ装置の動作方法を示すフローチャートである。
【０１３７】
図３８は、図３７の有機発光ディスプレイ装置の動作方法で第１モードの動作を示すフローチャートである。
【０１３８】
図３９は、図３７の有機発光ディスプレイ装置の動作方法で第２モードの動作を示すフローチャートである。
【０１３９】
図３７から３９は、ディスプレイパネル１１０がペンタイル構造で構成される場合を仮定する。
【０１４０】
図１から図１５、及び図３７から図３９を参照すると、タイミングコントローラ１３０が入力イメージ信号（ＲＧＢ）を受信する（Ｓ１１０）。バッテリーを含むパワーサプライ１８０のバッテリー感知モジュールがバッテリーの残量が基準値より大きいか否かを判断して、これを示すバッテリー感知信号（ＢＳ）をモード信号生成器１９０に提供する（Ｓ１２０）。モード信号（ＭＳ）がバッテリーの残量が基準値より大きいことを示すと、タイミングコントローラ１３０は第１モード、即ちノーマルモードで入力イメージ信号（ＲＧＢ）を、ブラックデータを含まない第１ディスプレイデータ（ＤＴＡ１）に変換してデータドライバー１５０に提供する（Ｓ１３０）。モード信号（ＭＳ）がバッテリーの残量が基準値より大きくないことを示すと、タイミングコントローラ１３０は第２モード、即ちディーミングモードで入力イメージ信号（ＲＧＢ）を、ブラックデータを含む第２ディスプレイデータ（ＤＴＡ２）に変換してデータドライバー１５０に提供する（Ｓ１４０）。
【０１４１】
第１モード、即ち、ノーマルモードでタイミングコントローラ１３０のデータコンバータ１４０は入力イメージ信号（ＲＧＢ）をペンタイル構造に符合する第１ディスプレイデータ（ＤＴＡ１）に変換してデータドライバー１５０に提供する（Ｓ１３１）。データドライバー１５０は、第１ディスプレイデータ（ＤＴＡ１）に相応するデータ電圧をディスプレイパネル１１０のピクセル行に印加してノーマルモードで入力イメージ信号（ＲＧＢ）に相応するイメージをディスプレイすることができる（Ｓ１３３）。
【０１４２】
第２モード、即ち、ディーミングモードでタイミングコントローラ１３０のデータコンバータ１４０は入力イメージ信号（ＲＧＢ）をペンタイル構造に符合し、ブラックデータを含む第２ディスプレイデータ（ＤＴＡ２）に変換してデータドライバー１５０に提供する（Ｓ１４１）。ディーミングモードで、発光ドライバー１７０はサブピクセルの非発光区間を減少させ、データドライバー１５０は第２ディスプレイデータ（ＤＴＡ２）に相応するデータ電圧をディスプレイパネル１１０のピクセル行に印加してディスプレイパネル１１０の輝度を減少させる（Ｓ１４３）。
【０１４３】
図４０は、本発明の実施形態に係るディスプレイシステムを示すブロック図である。
【０１４４】
図４０を参照すると、ディスプレイシステム８００は、アプリケーションプロセッサ８１０、及び有機発光ディスプレイ装置８２０を含むことができる。有機発光ディスプレイ装置８２０は、駆動回路８３０、ディスプレイパネル８４０、及びパワーサプライ８５０を含むことができる。パワーサプライ８５０は、バッテリー８５１及びバッテリー感知モジュール８５３を含むことができる。パワーサプライ８５０はディスプレイパネル８４０に電力（ＰＷＲ）を提供することができ、バッテリー感知モジュール８５３はバッテリー８５１の残量を感知してバッテリー感知信号（ＢＳ）を駆動回路８３０に提供することができる。
【０１４５】
ディスプレイシステム８００は、携帯用装置で具現できる。前記携帯用装置は、ラップトップコンピュータ、移動電話機、スマートフォン、タブレット（tablet）ＰＣ、ＰＤＡ（personal digital assistant）、ＰＭＰ（portable multi-media player）、ＭＰ３プレーヤー、または車両用ナビゲーションシステム（automotive navigation system）などで具現できる。
【０１４６】
アプリケーションプロセッサ８１０は、イメージ信号（ＲＧＢ）、制御信号（ＣＴＬ）、及びメインクロック信号（ＭＣＬＫ）を有機発光ディスプレイ装置８２０に提供する。パワーサプライ８４０は、ディスプレイパネル８４０に電力（ＰＷＲ）を供給する。
【０１４７】
駆動回路８３０、ディスプレイパネル８４０、及びパワーサプライ８５０は、図１の駆動回路１０５、ディスプレイパネル１１０、及びパワーサプライ１８０と実質的に同一である。したがって、ディスプレイシステム８００はバッテリー感知信号（ＢＳ）に基づいてノーマルモードまたはディスプレイパネル８４０の輝度を減少させるディーミングモードで動作し、ノーマルモードではイメージ信号（ＲＧＢ）を、ブラックデータを含まない第１ディスプレイデータ（ＤＴＡ１）に変換してディスプレイパネル８４０に表示し、ディーミングモードではイメージ信号（ＲＧＢ）をブラックデータを含む第２ディスプレイデータ（ＤＴＡ２）に変換してディスプレイパネル８４０に表示すると共に、非発光区間を減少させることによって、ディーミングモードで横縞が発生することを防止することができる。
【０１４８】
図４１は、本発明の実施形態に係る有機発光表示装置を含む電子機器を示すブロック図である。
【０１４９】
図４１を参照すると、電子機器１０００は、プロセッサ１０１０、メモリ装置１０２０、格納装置１０３０、入出力装置１０４０、パワーサプライ１０５０、及び有機発光表示装置１０６０を含むことができる。パワーサプライ１０５０は、バッテリー１０５１及びバッテリー感知モジュール１０５３を含むことができる。パワーサプライ１０５０は、電子システム１０００に動作電力を供給することができる。バッテリー感知モジュール１０５３は、バッテリー１０５１の残量を感知してバッテリー感知信号（ＢＳ）を有機発光表示装置１０６０に提供することができる。電子機器１０００は、ビデオカード、サウンドカード、メモリカード、ＵＳＢ装置などと通信するか、または他のシステムと通信できる種々のポート（port）をさらに含むことができる。
【０１５０】
プロセッサ１０１０は、特定計算またはタスク（task）を遂行することができる。実施形態によって、プロセッサ１０１０はマイクロプロセッサ（microprocessor）、中央処理装置（ＣＰＵ）などでありうる。プロセッサ１０１０は、アドレスバス（address bus）、制御バス（control bus）、及びデータバス（data bus）などを通じて他の構成要素に連結できる。実施形態に従って、プロセッサ１０１０は周辺構成要素相互連結（Peripheral Component Interconnect；ＰＣＩ）バスのような拡張バスにも連結できる。
【０１５１】
メモリ装置１０２０は、電子機器１０００の動作に必要とするデータを格納することができる。例えば、メモリ装置１０２０は、ＥＰＲＯＭ（Erasable Programmable Read-Only Memory）、ＥＥＰＲＯＭ（Electrically Erasable Programmable Read-Only Memory）、フラッシュメモリ（Flash Memory）、ＰＲＡＭ（Phase Change Random Access Memory）、ＲＲＡＭ（登録商標）（Resistance Random Access Memory）、ＮＦＧＭ（Nano Floating Gate Memory）、ＰｏＲＡＭ（Polymer Random Access Memory）、ＭＲＡＭ（Magnetic Random Access Memory）、ＦＲＡＭ（登録商標）（Ferroelectric Random Access Memory）などの不揮発性メモリ装置及び／又はＤＲＡＭ（Dynamic Random Access Memory）、ＳＲＡＭ（Static Random Access Memory）、モバイルＤＲＡＭなどの揮発性メモリ装置を含むことができる。
【０１５２】
格納装置１０３０は、ソリッドステートドライブ（Solid State Drive；ＳＳＤ）、ハードディスクドライブ（Hard Disk Drive；ＨＤＤ）、ＣＤ−ＲＯＭなどを含むことができる。入出力装置１０４０は、キーボード、キーパッド、タッチパッド、タッチスクリーン、マウスなどの入力手段、及びスピーカー、プリンタなどの出力手段を含むことができる。パワーサプライ１０５０は、電子機器１０００の動作に必要なパワーを供給することができる。有機発光表示装置１０６０は、前記バスまたは他の通信リンクを通じて他の構成要素に連結できる。
【０１５３】
有機発光表示装置１０６０は、図１の有機発光表示装置１００でありうる。有機発光表示装置１０６０はバッテリー感知信号（ＢＳ）に基づいてノーマルモードまたはディスプレイパネルの輝度を減少させるディーミングモードで動作し、ノーマルモードではイメージ信号を、ブラックデータを含まない第１ディスプレイデータに変換してディスプレイパネルに表示し、ディーミングモードではイメージ信号を、ブラックデータを含む第２ディスプレイデータに変換してディスプレイパネルに表示すると共に、非発光区間を減少させることによって、ディーミングモードで横縞が発生することを防止することができる。
【０１５４】
実施形態によって、電子機器１０００は、ノートブックコンピュータ（Laptop Computer）、タブレットコンピュータ（Table Computer）、携帯電話（Mobile Phone）、スマートフォン（Smart Phone）、個人情報端末機（personal digital assistant；ＰＤＡ）、携帯型マルチメディアプレーヤー（portable multimedia player；ＰＭＰ）、ディジタルカメラ（Digital Camera）、音楽再生機（Music Player）、携帯用ゲームコンソール（portable game console）、ナビゲーション（Navigation）などの有機発光表示装置１０６０を含む携帯用電子機器でありうる。
【産業上の利用可能性】
【０１５５】
本発明は、任意の携帯用表示装置及びこれを含む電子機器に適用できる。例えば、本発明はノートブックコンピュータ、タブレットコンピュータ、携帯電話、スマートフォン、ＰＤＡ、ＰＭＰ、ディジタルカメラ、音楽再生機、携帯用ゲームコンソール、ナビゲーションなどに適用できる。
【０１５６】
以上、本発明の実施形態を参照して説明したが、該当技術分野の熟練した当業者は特許請求範囲に記載された本発明の思想及び領域から逸脱しない範囲内で本発明を多様に修正及び変更させることができることを理解することができる。
【符号の説明】
【０１５７】
１００、８２０    有機発光ディスプレイ装置
１０５、８３０    駆動回路
１１０、８４０    ディスプレイパネル
【図１】
2016151765.tif 000003
【図２】
2016151765.tif 000004
【図３】
2016151765.tif 000005
【図４】
2016151765.tif 000006
【図５】
2016151765.tif 000007
【図６】
2016151765.tif 000008
【図７】
2016151765.tif 000009
【図８】
2016151765.tif 000010
【図９】
2016151765.tif 000011
【図１０】
2016151765.tif 000012
【図１１】
2016151765.tif 000013
【図１２】
2016151765.tif 000014
【図１３】
2016151765.tif 000015
【図１４】
2016151765.tif 000016
【図１５】
2016151765.tif 000017
【図１６】
2016151765.tif 000018
【図１７】
2016151765.tif 000019
【図１８】
2016151765.tif 000020
【図１９】
2016151765.tif 000021
【図２０】
2016151765.tif 000022
【図２１】
2016151765.tif 000023
【図２２】
2016151765.tif 000024
【図２３】
2016151765.tif 000025
【図２４】
2016151765.tif 000026
【図２５】
2016151765.tif 000027
【図２６】
2016151765.tif 000028
【図２７】
2016151765.tif 000029
【図２８】
2016151765.tif 000030
【図２９】
2016151765.tif 000031
【図３０】
2016151765.tif 000032
【図３１】
2016151765.tif 000033
【図３２】
2016151765.tif 000034
【図３３】
2016151765.tif 000035
【図３４】
2016151765.tif 000036
【図３５】
2016151765.tif 000037
【図３６】
2016151765.tif 000038
【図３７】
2016151765.tif 000039
【図３８】
2016151765.tif 000040
【図３９】
2016151765.tif 000041
【図４０】
2016151765.tif 000042
【図４１】
2016151765.tif 000043